(57)【特許請求の範囲】
【請求項１】
食品サンプルにプローブを挿入し、その際に前記プローブに生じる振動の変位、速度及び加速度のうちいずれか一つの物理量を、振動情報として、所定の周波数帯域で前記物理量を安定して出力する振動情報検出手段を用いて検出する振動情報検出工程と、
前記振動情報を帯域通過フィルタを用いて複数の周波数帯域各々における振動情報に分割する周波数帯域分割工程と、
前記各周波数帯域における前記振動情報と、対応する前記周波数帯域の中心周波数とから、前記周波数帯域毎の単位時間当たりの振動エネルギーに基づく食感指標値をコンピュータを用いて算出する食感指標演算工程と、
を含む食感指標の測定方法。
【請求項２】
前記振動情報検出工程において、前記振動情報として振動の変位を検出した場合には、
前記食感指標演算工程において、前記振動情報と前記中心周波数との積の自乗の総和を単位時間で除したものを単位時間当たりの振動エネルギーとして算出し、
前記振動情報検出工程において、前記振動情報として振動の速度を検出した場合には、
前記食感指標演算工程において、前記振動情報を自乗した値の総和を単位時間で除したものを単位時間当たりの振動エネルギーとして算出し、
前記振動情報検出工程において、前記振動情報として振動の加速度を検出した場合には、
前記食感指標演算工程において、前記振動情報を前記中心周波数で除した値の自乗の総和を単位時間で除したものを単位時間当たりの振動エネルギーとして算出する、
ことを特徴とする請求項１に記載の食感指標の測定方法。
【請求項３】
前記食感指標演算工程では、
周波数帯域毎の振動エネルギーに基づく食感指標値に、低周波数領域から高周波数領域にかけて徐々に大きくなる補正係数を乗算する、
ことを特徴とする請求項１又は２に記載の食感指標の測定方法。
【請求項４】
前記振動情報検出手段を強制振動させ、前記振動情報検出手段に生じた加速度、速度及び変位のうちいずれか一つの物理量を前記振動情報として他の検出手段で検出するとともに、前記振動情報検出手段から出力される出力信号値を測定し、
測定された出力信号値を前記他の検出手段で検出された前記振動情報に変換する較正係数を求め、
前記食感指標演算工程では、
前記各周波数帯域における前記振動情報に前記較正係数を乗算した上で、前記振動エネルギーを算出する、
ことを特徴とする請求項１乃至３のいずれか一項に記載の食感指標の測定方法。
【請求項５】
前記振動情報検出工程では、
前記振動情報検出手段として、前記所定の周波数帯域で安定して加速度に相当する信号を出力する加速度ピックアップを用いて前記振動情報を検出する、
ことを特徴とする請求項１乃至４のいずれか一項に記載の食感指標の測定方法。
【請求項６】
前記食感指標演算工程では、
前記加速度ピックアップから出力された電圧値を用い、
下式１
【数１】
0005854516.tif 000018
（ここで、Ｔｉは所定の周波数帯域ｉの食感指標値、αは、任意の定数、Ｖｉ，ｊは、所定の周波数帯域ｉ及び所定のサンプリングｊにおける電圧値、ｔは測定時間、ｆｉは所定の周波数帯域ｉにおける中心周波数）を用いて前記周波数帯域毎の単位時間当たりの振動エネルギーに基づく食感指標値を算出する、
ことを特徴とする請求項５に記載の食感指標の測定方法。
【請求項７】
前記食感指標演算工程では、
前記加速度ピックアップから出力された電圧値を用い、
下式２
【数２】
0005854516.tif 000019
（ここで、ＰｉｎｋＴｉは所定の周波数帯域ｉの食感指標値、αは、任意の定数、Ｖｉ，ｊは所定の周波数帯域ｉ及び所定のサンプリングｊにおける電圧値、ｔは測定時間、ｆｉは所定の周波数帯域ｉにおける中心周波数であり、ｆ１は最も低い周波数帯域における中心周波数）を用いて前記周波数帯域毎の単位時間当たりの振動エネルギーに基づく食感指標値を算出する、
ことを特徴とする請求項５に記載の食感指標の測定方法。
【請求項８】
前記食感指標演算工程では、
前記加速度ピックアップから出力された電圧値を用い、
下式３
【数３】
0005854516.tif 000020
（ここでＰｉｎｋＴｃａｌｉは所定の周波数帯域ｉの食感指標値、αは、任意の定数、Ｖｉ，ｊは所定の周波数帯域ｉ及び所定のサンプリングｊにおける電圧値、ｔは測定時間、ｆｉは所定の周波数帯域ｉにおける中心周波数であり、ｆ１は最も低い周波数帯域における中心周波数、ｃ（ｆｉ）は周波数帯域毎に定められる較正係数）を用いて前記周波数帯域毎の単位時間当たりの振動エネルギーに基づく食感指標値を算出する、
ことを特徴とする請求項５に記載の食感指標の測定方法。
【請求項９】
前記食感指標演算工程では、
算出した前記食感指標値を、周波数帯域毎に、ホワイトノイズ、ピンクノイズ及びブラウンノイズとともに比較表示する、
ことを特徴とする請求項６乃至８のいずれか一項に記載の食感指標の測定方法。
【請求項１０】
前記食感指標演算工程では、
前記加速度ピックアップから出力された電圧値を用い、
下式４
【数４】
0005854516.tif 000021
（式４中、ＴＰＣｐは食感指標値、ａｐ，ｋはあらかじめ求められた係数であり、ＰｉｎｋＴｋは下式５
【数５】
0005854516.tif 000022
（式５中、αは、任意の定数、Ｖｋ，ｊは所定の周波数帯域ｋ及び所定のサンプリングｊにおける電圧値、ｔは測定時間、ｆｋは所定の周波数帯域ｋにおける中心周波数であり、ｆ１は最も低い周波数帯域における中心周波数）を用いて算出される所定の周波数帯域ｋにおける仮食感指標値）を用いて前記周波数帯域毎の単位時間当たりの振動エネルギーに基づく食感指標値を算出する、
ことを特徴とする、請求項５に記載の食感指標の測定方法。
【請求項１１】
前記係数は、予め所定の食品群に対して測定を行い、前記式５を用いて算出された仮食感指標値群から主成分分析を用いて求められた固有ベクトル群である、
ことを特徴とする請求項１０に記載の食感指標の測定方法。
【請求項１２】
食品サンプルに挿入されるプローブと、
前記プローブを駆動する駆動装置と、
前記プローブが前記食品サンプルに挿入される際に、前記プローブに生じる振動の変位、速度及び加速度のうちいずれか一つの物理量を、振動情報として、所定の周波数帯域で前記物理量を安定して検出する振動情報検出装置と、
前記振動情報を帯域通過フィルタを用いて複数の周波数帯域各々における振動情報に分割し、前記各周波数帯域における前記振動情報と、対応する前記周波数帯域の中心周波数とから、前記周波数帯域毎の単位時間当たりの振動エネルギーに基づく食感指標値を算出する演算装置と、
を備える食感指標の測定装置。
【請求項１３】
前記振動情報検出装置が加速度ピックアップである、
ことを特徴とする請求項１２に記載の食感指標の測定装置。
【請求項１４】
前記演算装置は下式１
【数６】
0005854516.tif 000023
（ここでＴｉは所定の周波数帯域ｉの食感指標値、αは、任意の定数、Ｖｉ，ｊは所定の周波数帯域ｉ及び所定のサンプリングｊにおける電圧値、ｔは測定時間、ｆｉは所定の周波数帯域ｉにおける中心周波数）を用いて前記周波数帯域毎の単位時間当たりの振動エネルギーに基づく食感指標値を算出する、
ことを特徴とする請求項１３に記載の食感指標の測定装置。
【請求項１５】
前記演算装置は下式２
【数７】
0005854516.tif 000024
（ここでＰｉｎｋＴｉは所定の周波数帯域ｉの食感指標値、αは、任意の定数、Ｖｉ，ｊは所定の周波数帯域ｉ及び所定のサンプリングｊにおける電圧値、ｔは測定時間、ｆｉは所定の周波数帯域ｉにおける中心周波数であり、ｆ１は最も低い周波数帯域における中心周波数）を用いて前記周波数帯域毎の単位時間当たりの振動エネルギーに基づく食感指標値を算出する、
ことを特徴とする請求項１３に記載の食感指標の測定装置。
【請求項１６】
前記演算処理は下式３
【数８】
0005854516.tif 000025
（ここでＰｉｎｋＴｃａｌｉは所定の周波数帯域ｉの食感指標値、αは、任意の定数、Ｖｉ，ｊは所定の周波数帯域ｉ及び所定のサンプリングｊにおける電圧値、ｔは測定時間、ｆｉは所定の周波数帯域ｉにおける中心周波数であり、ｆ１は最も低い周波数帯域における中心周波数、ｃ（ｆｉ）は周波数帯域毎に定められる較正係数）を用いて前記周波数帯域毎の単位時間当たりの振動エネルギーに基づく食感指標値を算出する、
ことを特徴とする請求項１３に記載の食感指標の測定装置。
【発明の詳細な説明】
【技術分野】
【０００１】
本発明は、食感指標の測定方法及び測定装置に関する。
【背景技術】
【０００２】
人は、味、香りおよび色といった多くの要素を基準として食物や農産物の嗜好的判断を行う。嗜好的判断の基準となる要素の中でも、食感は、特に重要な要素である。このような食感は、食物の力学特性（弾性や粘性）に由来している。従って、食物の弾性や粘性を測定すれば、食感を定量化することが可能となる。例えば、麺やパスタなどを被試験体とし、食物の力学特性を測定することにより、習慣的に使われていた「ねばり」や「腰の強さ」という食感を定量化する材料試験機が開示されている（例えば、特許文献１参照）。この材料試験機では、麺などの被試験体を押し圧治具で一定距離押し圧した後、被試験体が押し圧治具に与える応力（反発力）を零にする位置まで押し圧治具を戻したときの距離と押し圧加重との関係を示す曲線が測定される。そして、その曲線が形成する領域の面積等に基づいて被試験体が有する反発エネルギーが計算され、被試験体が有する「ねばり」や「腰の強さ」が定量化される。【０００３】
ところが、食感は、「ねばり」や「腰の強さ」だけに限られない。例えば、新鮮なキウリやセロリなどを咀嚼した際の「シャキシャキ」とした食感や、食べ頃になったセイヨウナシの「トロリ」とした食感は、我々の嗜好を大いにそそるものである。これらの食感は、従来のレオメーターなどの機械力学的な測定では表現できないため、もっぱら官能検査（人の感覚による検査）により評価されるのが通常である。【０００４】
また、近年、クッキーやスナック菓子などの乾いた多孔質性をもつ食品の「パリパリ感」、すなわちクリスプネスを定量化するシステム等も開示されている（例えば、特許文献２参照）。このシステムでは、破断曲線を測定し、測定された破断曲線の周波数解析を行うことにより、所定の周波数領域での破断エネルギーが求められ、この破断エネルギーにより、クリスプネスが定量化される。【０００５】
さらに、水分含有量の多少に関わらず、食品の「シャキシャキ感」などの食感を定量化する食品の食感測定装置が開示されている（例えば、特許文献２参照）。この食感測定装置は、所定の速度でプローブを食品に挿入したときに、プローブに接続された圧電素子から出力される信号に基づく単位時間当たりのパルスのピーク数を算出し、食品の食感をパルスのピーク数で定量的に測定している。【０００６】
さらに、食品の「シャキシャキ感」及び「サクサク感」を定量化する食品の食感測定方法等が開示されている（例えば、特許文献４参照）。この食感測定方法は、所定の速度でプローブを食品に挿入したときに、プローブに接続された圧電素子から出力される信号から複数の周波数帯域の信号を取り出し、各周波数帯域の信号の単位時間当たりの振幅密度を食感の食品指標として求めている。
【先行技術文献】
【特許文献】
【０００７】
【特許文献１】特開平１１−１９０６８８号公報
【特許文献２】特開２００１−１３３３７４号公報
【特許文献３】特許第４２８０８３６号公報
【特許文献４】特開２００７−５７４７６号公報
【発明の概要】
【発明が解決しようとする課題】
【０００８】
官能検査を利用して正確に食品の評価を行うためには、熟練した技術を持つ複数の試験者が必要とされる。ワインや煙草といった高度な嗜好を要求される商品では、このような熟練した試験者が養成されている。しかしながら、セロリやキウリなどの安価な農産物では、このような熟練者の養成は行われておらず、その都度、非熟練の試験者を募り、予め定めた官能検査表に基づいて、食感判定が行われるのが一般的である。そのため、判定結果のばらつきが大きくなり、しかも、官能検査の際の試験者が同一ではない場合が多いので、過去の測定結果と現在の測定結果とを正確に比較することが困難になる。【０００９】
また、上記特許文献２に記載されたシステム等では、測定対象物が、水分含有量が数％以下の乾いた多孔性食品に限られる。逆に言えば、キウリやレタスなど水分を多く含む食材に適用した場合には、破断曲線とその食感との間で、必ずしも有意な相関が得られるわけではない。【００１０】
また、上記特許文献３に記載された食品の食感測定装置によって測定される単位時間当たりのパルスのピーク数は、食感を表すものとしてはある程度の指標となる。しかしながら、食物を食べるときに人が感じる食感は、口腔内で咀嚼する際に生じる食品の破壊エネルギーによるものが支配的である。このため、定量化される食感指標としては、そのような食品の破壊エネルギーと相関性のあるものであるのがより望ましい。【００１１】
また、上記特許文献４に記載された食品の食感測定装置によって測定される単位時間当たりの振幅密度も、食感指標となり得る。しかしながら、この指標も、口腔内で咀嚼する際に生じる食品の破壊エネルギーとの相関性が必ずしも高いものではない。【００１２】
本発明は、上記事情の下になされたものであり、食感をより正確に定量化することができる食感指標の測定方法及び測定装置を提供することを目的とする。
【課題を解決するための手段】
【００１３】
上記目的を達成するために、本発明の第１の観点に係る食感指標の測定方法は、
食品サンプルにプローブを挿入し、その際に前記プローブに生じる振動の変位、速度及び加速度のうちいずれか一つの物理量を、振動情報として、所定の周波数帯域で前記物理量を安定して出力する振動情報検出手段を用いて検出する振動情報検出工程と、
前記振動情報を帯域通過フィルタを用いて複数の周波数帯域各々における振動情報に分割する周波数帯域分割工程と、
前記各周波数帯域における前記振動情報と、対応する前記周波数帯域の中心周波数とから、前記周波数帯域毎の単位時間当たりの振動エネルギーに基づく食感指標値をコンピュータを用いて算出する食感指標演算工程と、
を含む。【００１４】
また、前記振動情報検出工程において、前記振動情報として振動の変位を検出した場合には、
前記食感指標演算工程において、前記振動情報と前記中心周波数との積の自乗の総和を単位時間で除したものを単位時間当たりの振動エネルギーとして算出し、
前記振動情報検出工程において、前記振動情報として振動の速度を検出した場合には、
前記食感指標演算工程において、前記振動情報を自乗した値の総和を単位時間で除したものを単位時間当たりの振動エネルギーとして算出し、
前記振動情報検出工程において、前記振動情報として振動の加速度を検出した場合には、
前記食感指標演算工程において、前記振動情報を前記中心周波数で除した値の自乗の総和を単位時間で除したものを単位時間当たりの振動エネルギーとして算出することが好ましい。【００１５】
また、前記食感指標演算工程では、
周波数帯域毎の振動エネルギーに基づく食感指標値に、低周波数領域から高周波数領域にかけて徐々に大きくなる補正係数を乗算することとしてもよい。【００１６】
また、前記振動情報検出手段を強制振動させ、前記振動情報検出手段に生じた加速度、速度及び変位のうちいずれか一つの物理量を前記振動情報として他の検出手段で検出するとともに、前記振動情報検出手段から出力される出力信号値を測定し、
測定された出力信号値を前記他の検出手段で検出された前記振動情報に変換する較正係数を求め、
前記食感指標演算工程では、
前記各周波数帯域における前記振動情報に前記較正係数を乗算した上で、前記振動エネルギーを算出することとしてもよい。【００１７】
また、前記振動情報検出工程では、
前記振動情報検出手段として、前記所定の周波数帯域で安定して加速度に相当する信号を出力する加速度ピックアップを用いて前記振動情報を検出することとしてもよい。【００１８】
また、前記食感指標演算工程では、
前記加速度ピックアップから出力された電圧値を用い、
下式１
【数１】
0005854516.tif 000002
（ここで、Ｔｉは所定の周波数帯域ｉの食感指標値、αは、任意の定数、Ｖｉ，ｊは、所定の周波数帯域ｉ及び所定のサンプリングｊにおける電圧値、ｔは測定時間、ｆｉは所定の周波数帯域ｉにおける中心周波数）を用いて前記周波数帯域毎の単位時間当たりの振動エネルギーに基づく食感指標値を算出することとしてもよい。【００１９】
また、前記食感指標演算工程では、
前記加速度ピックアップから出力された電圧値を用い、
下式２
【数２】
0005854516.tif 000003
（ここで、ＰｉｎｋＴｉは所定の周波数帯域ｉの食感指標値、αは、任意の定数、Ｖｉ，ｊは所定の周波数帯域ｉ及び所定のサンプリングｊにおける電圧値、ｔは測定時間、ｆｉは所定の周波数帯域ｉにおける中心周波数であり、ｆ１は最も低い周波数帯域における中心周波数）を用いて前記周波数帯域毎の単位時間当たりの振動エネルギーに基づく食感指標値を算出することとしてもよい。【００２０】
また、前記食感指標演算工程では、
前記加速度ピックアップから出力された電圧値を用い、
下式３
【数３】
0005854516.tif 000004
（ここでＰｉｎｋＴｃａｌｉは所定の周波数帯域ｉの食感指標値、αは、任意の定数、Ｖｉ，ｊは所定の周波数帯域ｉ及び所定のサンプリングｊにおける電圧値、ｔは測定時間、ｆｉは所定の周波数帯域ｉにおける中心周波数であり、ｆ１は最も低い周波数帯域における中心周波数、ｃ（ｆｉ）は周波数帯域毎に定められる較正係数）を用いて前記周波数帯域毎の単位時間当たりの振動エネルギーに基づく食感指標値を算出することとしてもよい。【００２１】
また、前記食感指標演算工程では、
算出した前記食感指標値を、周波数帯域毎に、ホワイトノイズ、ピンクノイズ及びブラウンノイズとともに比較表示することとしてもよい。【００２２】
また、前記食感指標演算工程では、
前記加速度ピックアップから出力された電圧値を用い、
下式４
【数４】
0005854516.tif 000005
（式４中、ＴＰＣｐは食感指標値、ａｐ，ｋはあらかじめ求められた係数であり、ＰｉｎｋＴｋは下式５
【数５】
0005854516.tif 000006
（式５中、αは、任意の定数、Ｖｋ，ｊは所定の周波数帯域ｋ及び所定のサンプリングｊにおける電圧値、ｔは測定時間、ｆｋは所定の周波数帯域ｋにおける中心周波数であり、ｆ１は最も低い周波数帯域における中心周波数）を用いて算出される所定の周波数帯域ｋにおける仮食感指標値）を用いて前記周波数帯域毎の単位時間当たりの振動エネルギーに基づく食感指標値を算出することとしてもよい。
【００２３】
また、前記係数は、予め所定の食品群に対して測定を行い、前記式５を用いて算出された仮食感指標値群から主成分分析を用いて求められた固有ベクトル群であることとしてもよい。【００２４】
本発明の第２の観点に係る食感指標の測定装置は、
食品サンプルに挿入されるプローブと、
前記プローブを駆動する駆動装置と、
前記プローブが前記食品サンプルに挿入される際に、前記プローブに生じる振動の変位、速度及び加速度のうちいずれか一つの物理量を、振動情報として、所定の周波数帯域で前記物理量を安定して検出する振動情報検出装置と、
前記振動情報を帯域通過フィルタを用いて複数の周波数帯域各々における振動情報に分割し、前記各周波数帯域における前記振動情報と、対応する前記周波数帯域の中心周波数とから、前記周波数帯域毎の単位時間当たりの振動エネルギーに基づく食感指標値を算出する演算装置と、
を備える。【００２５】
また、前記振動情報検出装置が加速度ピックアップであってもよい。【００２６】
また、前記演算装置は下式１
【数６】
0005854516.tif 000007
（ここでＴｉは所定の周波数帯域ｉの食感指標値、αは、任意の定数、Ｖｉ，ｊは所定の周波数帯域ｉ及び所定のサンプリングｊにおける電圧値、ｔは測定時間、ｆｉは所定の周波数帯域ｉにおける中心周波数）を用いて前記周波数帯域毎の単位時間当たりの振動エネルギーに基づく食感指標値を算出することとしてもよい。【００２７】
また、前記演算装置は下式２
【数７】
0005854516.tif 000008
（ここでＰｉｎｋＴｉは所定の周波数帯域ｉの食感指標値、αは、任意の定数、Ｖｉ，ｊは所定の周波数帯域ｉ及び所定のサンプリングｊにおける電圧値、ｔは測定時間、ｆｉは所定の周波数帯域ｉにおける中心周波数であり、ｆ１は最も低い周波数帯域における中心周波数）を用いて前記周波数帯域毎の単位時間当たりの振動エネルギーに基づく食感指標値を算出することとしてもよい。【００２８】
また、前記演算処理は下式３
【数８】
0005854516.tif 000009
（ここでＰｉｎｋＴｃａｌｉは所定の周波数帯域ｉの食感指標値、αは、任意の定数、Ｖｉ，ｊは所定の周波数帯域ｉ及び所定のサンプリングｊにおける電圧値、ｔは測定時間、ｆｉは所定の周波数帯域ｉにおける中心周波数であり、ｆ１は最も低い周波数帯域における中心周波数、ｃ（ｆｉ）は周波数帯域毎に定められる較正係数）を用いて前記周波数帯域毎の単位時間当たりの振動エネルギーに基づく食感指標値を算出することとしてもよい。
【発明の効果】
【００２９】
本発明に係る食感指標の測定方法では、プローブを食品サンプルに挿入する際に、プローブに生じる振動の変位、速度、或いは加速度のうちいずれか一つの物理量を、振動周波数によらず、振動情報として安定して検出する。このため複数の周波数帯域において、この振動に基づいて食品を口腔内で咀嚼する際の破壊エネルギーを正確に算出することができる。この結果、食感をより正確に定量化することができる。
【図面の簡単な説明】
【００３０】
【図１】本発明の実施の形態に係る食感指標の測定方法を示す工程図である。
【図２】本発明の実施の形態に係る食感指標の測定装置の構成を示す模式図である。
【図３】圧電センサーの位相を示すグラフである。
【図４】加速度ピックアップの位相を示すグラフである。
【図５】ポテトチップスについて、式１を用いて算出した食感指標値を示すグラフである。
【図６】ポテトチップスについて、式２を用いて算出した食感指標値を示すグラフである。
【図７】スイカについて、式１を用いて算出した食感指標値を示すグラフである。
【図８】スイカについて、式２を用いて算出した食感指標値を示すグラフである。
【図９】ポテトチップス及びスイカについて、式２を用いて算出した食感指標値を示すグラフである。
【図１０】ポテトチップス及びスイカについて、式３を用いて算出した食感指標値を示すグラフである。
【図１１】高温、通常温度、低温の３種類の異なる温度で揚げたポテトチップスについて、式２を用いて算出した食感指標値を示すグラフである。
【発明を実施するための形態】
【００３１】
以下、図を参照しつつ、本発明の一実施の形態に係る食感指標の測定方法及び食感指標の測定装置について説明する。図１には、本実施の形態に係る食感指標の測定方法の工程が示されている。図１に示すように、食感指標の測定方法は、振動情報検出工程（ステップＳ１）と、周波数帯域分割工程（ステップＳ２）と、食感指標演算工程（ステップＳ３）とを含む。
【００３２】
振動情報検出工程では、食品サンプル（例えば、図２に示す食品サンプル４１）にプローブ（例えば、図２に示すプローブ２０）を挿入する。そして、プローブを食品サンプルに挿入する際にプローブに生じる振動の変位、速度及び加速度のうちいずれか一つの物理量を振動情報として振動情報検出手段（例えば、加速度ピックアップ３０）を用いて検出する（ステップＳ１）。
【００３３】
周波数帯域分割工程では、振動情報を帯域通過フィルタとしてのフィルターモジュール（例えば、図２に示すフィルターモジュール５１）を用いて複数の周波数帯域各々における振動情報に分割する（ステップＳ２）。周波数帯域の区分は後述のようにオクターブ毎、或いは半オクターブ毎に行うとよい。
【００３４】
食感指標演算工程では、各周波数帯域ｉにおける前記振動情報と、対応する前記周波数帯域の中心周波数とから、周波数帯域毎の単位時間当たりの振動エネルギーに基づく食感指標値をコンピュータ（例えば、図２に示す演算装置５０）を用いて算出する（ステップＳ３）。ここで、中心周波数とは、所定の周波数帯域ｉにおける最小周波数と最大周波数との積の平方根である。
【００３５】
エネルギーは速度の自乗に比例する。このことから、振動情報検出工程において、振動情報として振動の変位を検出した場合には、上記食感指標演算工程において、各周波数帯域において振動情報と中心周波数の積が求められ、その積の自乗の総和を単位時間で除したものが周波数帯域毎の単位時間当たりの振動エネルギーとして求められる。また、振動情報検出工程において、振動情報として振動の速度を検出した場合には、上記食感指標演算工程において、検出した振動情報を自乗した値の総和を単位時間で除したものが周波数帯域毎の単位時間当たりの振動エネルギーとして求められる。また、振動情報検出工程において、振動情報として振動の加速度を検出した場合には、上記食感指標演算工程において、振動情報を中心周波数で除した値の自乗の総和を単位時間で除したものが周波数帯域毎の単位時間当たりの振動エネルギーとして求められる。
【００３６】
本実施の形態に係る食感指標の測定方法は、プローブを食品サンプルに挿入する際に、プローブに生じる振動の変位、速度、或いは加速度のうちいずれか一つの物理量を振動検出手段によって検出して振動情報を取得する点に特徴を有する。食感を振動エネルギーに変換する場合、振動検出手段によって検出される振動に係る物理量が、振動の変位、速度、或いは加速度のうちいずれか一つに相当するものとして安定していなければ、正確な振動エネルギーを測定することは困難である。本実施の形態に係る食感指標の測定方法によれば、振動検出手段（例えば、図２に示す加速度ピックアップ３０）によってプローブに生じる振動の変位等、検出する物理量は、例えば加速度に相当する量として安定しているため、食品を口腔内で咀嚼する際の破壊エネルギーを正確に測定できる。
【００３７】
また、食感指標演算工程では、周波数帯域毎の単位時間当たりの振動エネルギーに基づく食感指標値に、低周波数領域から高周波数領域にかけて徐々に大きくなる補正係数を乗算するようにしてもよい。これによって、一般的に減衰しやすい傾向にある高周波数領域の振動エネルギーに基づく食感指標を正当に評価することが可能となる。
【００３８】
さらに、使用する振動情報検出手段の違いによって生じる食感指標値の差を較正しようとするには、次のような操作を行えばよい。ここでは、振動情報検出手段として加速度ピックアップを例にとり説明する。まず、使用する加速度ピックアップを強制振動させ、加速度ピックアップに生じた振動による変位をレーザードップラーによって検出し、検出された変位から加速度ピックアップ本体の速度及び加速度を求める。同時にこの強制振動によって加速度ピックアップから出力される出力信号値（電圧値）を測定する。レーザードップラーによって検出した変位に基づく加速度と、加速度ピックアップによる出力電圧値をグラフにプロットすると、線形の関係が得られる。この線形のグラフから、出力信号値（電圧値）を加速度に変換する較正係数を求めておき、実際の測定に際しては加速度ピックアップによって変換された出力信号値に所定の較正係数を乗算する。このような較正係数を用いれば、得られる食感指標は普遍的なものと見なせる。較正係数の値が周波数によって異なる場合は、中心周波数毎、すなわち周波数帯域毎に異なる較正係数を乗算してもよい。
【００３９】
本実施の形態に係る食感指標の測定方法は、一例として、図２に示す食感指標の測定装置を用いることにより実現され得る。なお、以下では、振動情報検出手段として加速度ピックアップ３０を用い、プローブ２０に生じる振動情報として、加速度を検出して食感指標を得る形態について具体的に説明する。
【００４０】
図２に示すように、食感指標測定装置１は、プランジャ１０、シリンジ１１、ポンプ１２、プローブ２０、加速度ピックアップ３０、サンプル台４０及び演算装置５０を備える。
【００４１】
ポンプ１２は内部に油等の液体を備える所謂油圧ポンプである。ポンプ１２は液体を輸送する管を介してシリンジ１１と接続している。ポンプ１２はシリンジ１１に液体を輸送するため、液体の圧力を変動させる装置を備える。なお、ポンプ１２として油圧ポンプを用いているのは、プローブ２０を食品サンプル４１に挿入する際に不要な振動を与えることがないため、極めて正確な振動信号を検出できるからである。
【００４２】
シリンジ１１は内部にプランジャ１０を保持する。シリンジ１１の内部空間のうち、プランジャ１０の上部はすべて液体で充填されている。
【００４３】
プランジャ１０はシリンジ１１の内壁に接触するように挿入されており、シリンジ１１内部の液体の量に応じて上下方向の運動が可能である。
【００４４】
プローブ２０は加速度ピックアップ３０の下部に装備される。プローブ２０の一端は、この部分をもって食品に挿入される。プローブ２０の一端は、食品との接触によって適切な振動が発生するような形状を有するように設計されている。プローブ２０の形状は具体的には、円柱、角柱、それらの先端が鋭角を有するような形状のものでよい。また、プローブ２０の形状は、円錐であってもよい。また、プローブ２０は、前記形状に加えて溝を備えるようにしてもよい。プローブ２０の好適な例としては、マイナスドライバー状及び溝を備えたマイナスドライバー状が考えられる。
【００４５】
加速度ピックアップ３０は、プランジャ１０とプローブ２０との間に設置される。加速度ピックアップ３０は、感知した振動エネルギーを加速度に相当する電気信号に変換して出力する素子である。加速度ピックアップ３０はプローブ２０と直接接触しているため、プローブ２０に生じる振動が加速度ピックアップ３０に直接伝播する。加速度ピックアップ３０は、ケーブルを介して演算装置５０と接続されている。加速度ピックアップ３０は、出力電気信号（加速度に相当する電圧信号）をケーブルを介して演算装置５０に送信する。
【００４６】
サンプル台４０は、測定する食品サンプル４１が載置される載置台である。サンプル台４０は、プローブ２０の下方に設置される。
【００４７】
演算装置５０は、フィルターモジュール５１と、演算部５２とを備える。フィルターモジュール５１は、入力電気信号（加速度ピックアップ３０の出力電気信号）を複数の周波数帯域各々の成分を有する電気信号に分割する帯域通過フィルタである。演算部５２は、周波数帯域毎の電気信号に対して以下の項目で詳述する演算処理を施す。演算装置５０は、測定された電圧値や演算の結果等を表示し、それに対するさらなる操作・演算処理・編集等を可能にするインターフェースをさらに備える。
【００４８】
ここで、本実施の形態に係る食感指標の測定方法に用いる食感指標測定装置１は、振動検出手段において加速度、速度、又は変位のいずれか一つの物理量を検出するようにしたことに特徴を有する。
【００４９】
従来、この種の振動検出手段としては、加速度ピックアップ３０ではなく、圧電素子が用いられてきた。図３は、圧電素子を振動させた際の振動数（周波数）と検出電圧との関係を示す。
【００５０】
図３に示すように、圧電素子は、その振動数が、２Ｈｚから約１０Ｈｚまでの場合には、変位に比例した電圧を出力している。その振動数が約１０Ｈｚ以上約１００Ｈｚ以下の場合には、速度に比例した電圧を出力している。また、圧電素子は、その振動数が４００Ｈｚ以上である場合には、加速度に比例した電圧を出力している。また、圧電素子は、その振動数が１００〜４００Ｈｚである場合には、速度にも加速度にも比例しない電圧を出力している。即ち、圧電素子では、振動周波数に応じて、検出する物理量と出力電圧との対応関係が一定でないことがわかる。
【００５１】
検出する物理量と振動検出手段の出力電圧との関係が一定でなければ、振動検出手段の出力電圧に基づいて、正確な振動エネルギーを測定することが困難になる。圧電素子を用いた場合では、上記のように出力電圧と検出する物理量との関係が一定しておらず、振動検出手段として用いるのは適当ではない。
【００５２】
一方、図４は、加速度ピックアップ（加速度センサ）３０を振動させた際の振動数（周波数）と、加速度ピックアップ３０で検出される電圧との関係を示す。
【００５３】
図４に示すように、加速度ピックアップ３０が出力する電圧の位相は、周波数によらず、加速度の位相に一致している。このことから、加速度ピックアップ３０は、常に、加速度に比例した電圧を出力することがわかる。
【００５４】
速度に比例した電圧が得られる場合、その電圧値を自乗することにより電圧を振動エネルギーに変換できることが知られている。また、加速度に比例した電圧が得られる場合、その電圧を、注目する中心周波数で除した値を自乗すれば電圧を振動エネルギーに変換できることが知られている。したがって、振動検出手段として加速度に応じた電圧を出力する加速度ピックアップ３０を用いれば、振動周波数に関わらず、常に、振動が生じる際の加速度を検出する物理量とし、正確な振動エネルギーを測定することが可能となる。
【００５５】
加速度ピックアップ３０には、振り子が接続された圧電素子から出力される電圧信号の位相を加速度の位相に調整する調整回路（不図示）が設けられている。この調整回路により、加速度ピックアップ３０から出力される電圧信号は、所定の周波数帯域で、常に加速度に相当する信号となる。なお、調整回路が、圧電素子から出力される電圧信号の位相を変位の位相に調整した場合には、出力される電圧信号は、変位に相当する信号となる。この場合には、振動情報検出手段は、変位ピックアップとなる。また、調整回路が、圧電素子から出力される電圧信号の位相を速度の位相に調整した場合には、出力される電圧信号は、速度に相当する信号となる。この場合には、振動情報検出手段は、速度ピックアップとなる。
【００５６】
続いて、上述した食感指標測定装置１を用いた食感指標値の測定手順について説明する。
【００５７】
まず、測定前にサンプル台４０に食品サンプル４１を設置する。このとき、プローブ２０が、食品サンプル４１に接触しないようにする。
【００５８】
続いて、不図示の測定装置１のスイッチを入れると、まず、ポンプ１２の液圧が上昇する。液圧の上昇に伴って、ポンプ１２内の液体がシリンジ１１に輸送される。シリンジ１１内の液体の増加に伴って、プランジャ１０が下降する。プランジャ１０の下降に伴い、プローブ２０が食品サンプル４１に向けて下降する。
【００５９】
そして、プローブ２０の先端が食品サンプル４１に到達し、更に、プローブ２０が下降することにより、食品サンプル４１に挿入される。プローブ２０からの圧力によって食品サンプル４１が破砕する。
【００６０】
プローブ２０が食品サンプル４１に挿入される際、プローブ１２が食品サンプル４１の細胞や繊維などと接触し、或いはそれらを破壊することによって、プローブ２０に振動が生じる。ここで発生した振動は、プローブ２０から加速度ピックアップ３０に伝播する。加速度ピックアップ３０は周波数全域に渡って、振動の加速度を検出し、検出した加速度に応じた電気信号（電圧値）を出力する。出力電圧はケーブルを経由して演算装置５０に送信される。
【００６１】
加速度ピックアップ３０から出力され演算装置５０に入力された電圧信号は、フィルターモジュール５１に入力される。フィルターモジュール５１は、入力された電圧信号を、所定の周波数帯域毎の成分に区分する。
【００６２】
なお、演算装置５０において解析の対象とする周波数帯域は任意である。ここで、人間が聴覚で感知できる周波数の上限を考慮すると、解析の対象となる周波数帯域は、好適な例においては０〜２５６００Ｈｚの範囲である。電圧信号のサンプリング速度は、解析の対象となる周波数の上限値の２倍以上の任意の値を用いる。これは、ナイキストの原理により、解析の対象とする周波数の２倍以上の周波数でサンプリングする必要があるためである。すなわち、２５６００Ｈｚの情報を得るためには、５１２００Ｈｚ以上のサンプリング速度で測定する必要がある。
【００６３】
また、０〜２５６００Ｈｚの範囲の周波数を複数の周波数帯域に区分する場合、フィルターモジュール５１としてオクターブフィルターを用いると、周波数帯域は以下の表に示すように区分される。なお、オクターブ単位で行うのは、人の知覚が高周波における増加分に対して低周波よりも鈍感になって捉えられにくくなる傾向があることに基づく。
【００６４】
【表１】
0005854516.tif 000010
【００６５】
また、フィルターモジュール５１として半オクターブフィルターを用いると、周波数帯域は以下の表に示すように区分される。半オクターブフィルターを用いれば、オクターブフィルタを用いるよりも、フィルタリング処理を、より高い分解能で行うことができる。
【００６６】
【表２】
0005854516.tif 000011
【００６７】
演算部５２は、上記のように区分された各周波数帯域の電気信号（電圧値）に基づいて、周波数帯域ｉ毎の食感指標値を算出する。本実施形態では、加速度ピックアップ３０を用いて、生じた振動の加速度に応じた電気信号が得られるので、その電気信号に基づいて振動エネルギーを算出し、結果的に振動エネルギーに基づく食感指標値を算出することができる。
【００６８】
上記のような思想から帰結できる、演算部５２における演算処理に使用する計算式を以下に示す。演算部５２は、前述の方法で区分された電気信号（電圧値）に基づいて、式１を用いた演算を行い、食感指標値を算出する。
【数９】
0005854516.tif 000012
【００６９】
上記式１において、Ｔｉは所定の周波数帯域ｉ、即ち、区分した周波数帯域ｉ毎の食感指標値である。αは、任意の定数であり、例えば１０である。Ｖｉ，ｊは所定の周波数帯域ｉ及び所定のサンプリングｊにおける電圧値である。ｔは秒単位の測定時間である。ｆｉは所定の周波数帯域ｉにおける中心周波数である。中心周波数ｆiは、所定の周波数帯域における最小周波数と最大周波数との積の平方根である。解析対象である全体の周波数帯域は、０〜２５６００Ｈｚである。上述の表に示すように、フィルターモジュール５１としてオクターブフィルターを用いた場合には、１０個の食感指標値Ｔiが算出され、フィルターモジュール５１として半オクターブフィルターを用いた場合には、２０個の食感指標値Ｔiが算出される。
【００７０】
式１では、食感指標値Ｔｉは、電圧値Ｖｉ，ｊの二乗を測定時間にわたって積算し、中心周波数の二乗及び測定時間で除することにより算出される。よって、食感指標値Ｔｉは単位時間あたりのプローブ２０の受ける振動エネルギーの大きさ［ｍ２／ｓ２］に相当する。そして、レーザードップラーを用いた実験から、加速度ピックアップ３０が出力する電圧値はいずれの周波数領域においても加速度に依存することが明らかである。このことから、式１では、食感指標値Ｔｉは、プローブ２０を食品サンプル４１に挿入した際に生じる振動エネルギーに対応した値の対数値となっている。
【００７１】
演算装置５０は、周波数帯域毎に算出された食感指標値Ｔiを、グラフ表示する。このとき、例えば図５に示すように、周波数帯域毎に算出された食感指標値Ｔｉを、ホワイトノイズ、ピンクノイズ、及び、ブラウンノイズとともにプロットしてもよい。ホワイトノイズ、ピンクノイズ、及び、ブラウンノイズの区割りを導入することで、測定に供した食品サンプル４１の食感が、食する人にとってどのように感じられるかを評価するのが容易となる。
【００７２】
ここで、ホワイトノイズとは、あらゆる周波数において信号エネルギーの強度が一定であるノイズである。これに対して、ピンクノイズとは信号エネルギーの強度が周波数に反比例するノイズである。また、ブラウンノイズとは、信号エネルギーの強度が周波数の二乗に反比例するノイズである。
【００７３】
音響工学の分野においては、ホワイトノイズ、ピンクノイズ、ブラウンノイズの分類が種々の解析に用いられており、耳に心地よいとされる音響に対してノイズ解析を行った結果、ピンクノイズが現れるとの報告がこれまでに多くなされている。一例としては、滝や川のせせらぎはピンクノイズに合致していることから、人はこれを心地よいと感じるものと考えられている。これに対して、一般的にホワイトノイズはいわゆる耳に不快な音響、ブラウンノイズはいわゆる物足りない音響を与えるとされる。
【００７４】
後述の実施例にて示すように、食品サンプル４１の食感指標値を、ホワイトノイズ、ピンクノイズ、及び、ブラウンノイズとともにプロットしてグラフ表示することで、その食感指標値がホワイトノイズ、ピンクノイズ、及び、ブラウンノイズのいずれに近いのかを判断することができる。例えば、測定した食品サンプル４１の食感指標値がピンクノイズに近ければ、その食品サンプル４１を食した際に心地よい食感であると判断することができる。また、ホワイトノイズに近ければ堅い食感、ブラウンノイズに近ければ物足らない食感である等の判断が可能になる。
【００７５】
また、ピンクノイズを中心に考え、評価を行ないやすくしようとすれば、演算部５２は、式１に代わり、式２を用いて演算処理を行ってもよい。
【数１０】
0005854516.tif 000013
【００７６】
式２において、ｆ１は区分した中で最も低い周波数帯域における中心周波数である。式２における他の項目については式１と同様であるため、説明を省略する。
【００７７】
式２によって算出される食感指標値ＰｉｎｋＴiは、ピンクノイズとの差としての食感指標値である。また、差をとる際に基準とするピンクノイズはｆ１に対する絶対値である。ピンクノイズを基準にして食感指標値ＰｉｎｋＴiを算出することによって、いわゆる耳に心地よい音響からどのくらいずれているかを数値化できる。
【００７８】
そして、後述の実施例に示すように、算出した食感指標値ＰｉｎｋＴiを周波数帯域毎に、ホワイトノイズ、ピンクノイズ、及び、ブラウンノイズとともにプロットすることで、得られた食品サンプル４１の食感指標値とピンクノイズとの相異を一見して把握しやすくなる。このため、どの周波数帯域でピンクノイズに合致し、或いは、どの周波数帯域でどの程度ピンクノイズから外れているか等を一見して判断することができる。
【００７９】
また、上述のようにして得られる食感指標値は振動エネルギーの大きさに基づく絶対値であるため、異なる装置同士の食感を比較するには、演算部５２は、式１及び式２に代わり、式３を用いて演算処理を行うとよい。
【数１１】
0005854516.tif 000014
【００８０】
式３において、ｃ（ｆｉ）は所定の周波数帯域毎に定められる較正係数である。式３における他の項目については式１及び式２と同様であるため、説明を省略する。
【００８１】
ここで得られる食感指標値は絶対値であり、異なる装置同士の得られた絶対値を後述の実施例のようにプロットすることにより、食感の相対評価をより行ないやすくなる。したがって、異なる装置を用いた測定により、種々の食品について、どの周波数帯域で食感指標値が合致するのか、或いは、異なるのかが一見して容易に判断することができ、種々の食品の食感における特徴点を明確に把握できる。
【００８２】
前記の方法で得られた食感指標値は１食品につきフィルターモジュール５１の数だけ算出され、周波数帯域毎に食品ごとに異なった食感指標値を与える。そこで、多変数からなる数値群に対する解析手段の一つである主成分分析を適用することによって、食品の食感をより簡潔に表現できる新たな食感指標値の計算手段が与えられる。以下の項目では、主成分分析を用いた食感指標値の計算方法について述べる。
【００８３】
まず、サンプル食品群を適切に選択する。選択したサンプル食品群の各々に対して、前記の食感指標測定装置１を用いて食感指標値の測定を行う。ただし、演算部５２は、食感指標の算出式として式５を用い、ＰｉｎｋＴｋを求める。これを仮食感指標値とする。
【数１２】
0005854516.tif 000015
【００８４】
Ｍ個の食品から成るサンプル食品群に対して測定を行えば、フィルターモジュール５１の数がＫ個であるとき、Ｍ×Ｋ個の仮食感指標値が得られる。演算部５２は、これらＭ×Ｋ個のデータに対して、主成分分析を施して、固有ベクトルを得る。これらの関係を以下の表に示す。
【００８５】
【表３】
0005854516.tif 000016
【００８６】
表３におけるｘｍｋは、ｍ（ｍ＝１〜Ｍ）番目の食品サンプルにおけるｋ（ｋ＝１〜Ｋ）番目のフィルターの仮食感指標値である。また、ａｐｋはｐ番目の第ｐ主成分固有ベクトルのｋ番目の要素である。得られた固有ベクトルの数をＰとする。第１主成分〜第Ｐ主成分は、それぞれ相関のない変数であり、例えば、食物の生産地の緯度や、調理温度等がそれに当たる。上記の操作は食品の本測定の前にあらかじめ行われ、得られた固有ベクトルから成る係数テーブル（ａｐｋ）は演算装置５０に保存される。
【００８７】
次に、新たに本測定により測定された食品の食感指標値ＴＰＣｐを算出する方法を述べる。新たに食品を測定し、上述した式５を用いて算出した仮食感指標値ＰｉｎｋＴｋに対して、式４を用いて、表３に掲げる主成分固有ベクトルとの内積をとる（式４）。
【数１３】
0005854516.tif 000017
【００８８】
このようにして、Ｐ個の固有ベクトルからＰ個の新たな食感指標値ＴＰＣｐが算出できる。この方法は主成分分析を用いていることから、得られたＰ個の食感指標値ＴＰＣｐから重要性のより高い食感指標値を選択し、食感指標値を代表させることも可能である。また、各主成分において、特徴的な係数ａp,kをある程度絞りこめるような場合には、特定のフィルターｋに対応する係数ａp,kのみ仮食感指標値ＰｉｎｋＴｋとの内積をとるようにしてもよい。このようにすれば、式１乃至式３のいずれかを用いて算出した食感指標値に比べて、食感を表現するのに必要な情報の量を少なくすることができる。このことから、上記式４を用いて、食感指標値を算出すれば、食品の食感をより簡潔に表現できるといえる。
【００８９】
上記では、振動情報検出手段として加速度ピックアップ３０を用い、加速度ピックアップ３０がプローブ２０に生じる振動の加速度を検出する形態について説明したが、検出するのは振動の加速度に限定されない。加速度を積分すると速度、また、速度を積分すると変位にそれぞれ変換できる関係にあることから、振動情報として、加速度の他、プローブ２０に生じる速度或いは変位を検出するようにしても同様に食感指標値を得ることができる。振動情報をエネルギーに変換する場合、振動情報検出手段が速度に比例した電圧信号を出力するならばその電圧値を自乗することにより変換でき、変位に比例した電圧信号を出力するならばその電圧と中心周波数との積の自乗をとることでエネルギーに変換できる。加速度ピックアップ３０のほか、プローブ２０に生じる速度或いは変位を検出可能な手段としては、一例としてレーザードップラーが挙げられる。
【００９０】
以上詳細に説明したように、本実施形態によれば、プローブ２０を食品サンプル４１に挿入する際に、加速度ピックアップ３０を用いて、プローブ２０に生じる振動の物理量として、加速度を、周波数によらない振動情報として安定して検出する。このため、複数の周波数帯域において、この振動に基づいて食品を口腔内で咀嚼する際の破壊エネルギーを正確に算出することができる。この結果、食感をより正確に定量化することができる。
【００９１】
また、本実施形態によれば、常に、物理量として加速度に相当する電圧信号を出力する加速度ピックアップ３０を用いているので、チーズ、食パン、ゼリー、寒天などの、咀嚼するときに音が出ない食物の食感も定量化することができる。
【実施例】
【００９２】
ポテトチップスについて食感測定装置１を用い、食感指標の測定を行った。【００９３】
プローブ２０として、マイナスドライバー形状（楔型）のものを使用した。【００９４】
フィルターモジュール５１として、半オクターブフィルターを使用し、０〜２５６００Ｈｚの範囲を解析の対象とした。【００９５】
ポテトチップス１枚をサンプル台に設置し、ポンプ１２からシリンジ１１に油を一定の速度で送り込み、プランジャ１０を下降させてポテトチップを破砕した。【００９６】
演算装置５０に相当するパーソナルコンピュータに出力される波形を観察し、測定後にプランジャ１０が上昇する運動に相当するデータは測定値から取り除いた。【００９７】
演算装置５０に相当するパーソナルコンピュータにおいて、演算部５２が、式１を用いて演算を行う。この結果、周波数帯域毎の食感指標値が得られた。【００９８】
また、演算部５２は、式２を用いて、周波数帯域毎の食感指標値を得た。【００９９】
なお、上記の測定は１２回行われた。【０１００】
図５及び図６に、式１を用いて得られた食感指標値、式２を用いて得られた食感指標値をそれぞれ示す。それぞれの図には、ホワイトノイズ（Ｗ）、ピンクノイズ（Ｐ）及びブラウンノイズ（Ｂ）を共にプロットしている。【０１０１】
図５及び図６を見ると、低周波数領域（１００〜５６０Ｈｚ）、８００〜１１２０Ｈｚ、４４８０〜６４００Ｈｚ、８９２０〜１２８００Ｈｚの周波数帯域では、ピンクノイズに近い食感指標値がみられることがわかる。しかし、５６０〜８００Ｈｚ、１６００〜３２００Ｈｚ、６４００〜８９２０Ｈｚでは、ホワイトノイズにより近い食感指標値がみられる。これらの食感指標がポテトチップスのパリパリした食感を反映している。【０１０２】
続いて、スイカについて上記と同様に食感指標の測定を行った。その結果を図７及び図８に示す。図７及び図８は、それぞれ式１を用いて得られた食感指標値、式２を用いて得られた食感指標値である。【０１０３】
図７及び図８を見ると、１００〜２００Ｈｚまではピンクノイズ的食感指標がみられるが、２００Ｈｚ以上ではブラウンノイズに近い食感指標がみられ、４４８０Ｈｚから再びピンクノイズ的食感指標がみられる。これらの食感指標が、スイカのシャリシャリした食感の特徴を反映している。【０１０４】
図９に、式２を用いて得られたポテトチップス及びスイカの食感指標値を示す。食感指標値の絶対値としては、ポテトチップスの方が高い。これは、ポテトチップスの食感における噛みごたえの強さを表す。【０１０５】
図１０は、式３を用いて得られたポテトチップス及びスイカの食感指標値を示す。スイカでは、２８０〜８９２０Ｈｚまでは食感指標値としての寄与が少ないが、８９２０〜１２８００Ｈｚの食感指標値が飛び抜けて特徴的であることが分かる。また、ポテトチップスではスイカに比べて特徴的な周波数帯域のピークが明瞭に判別できる。このように、式３を用いることで、異なる食品の特徴を同じグラフ上で比較することができる。【０１０６】
本実施の形態に係る食感指標測定装置１によって測定された食品の食感指標値は、ポテトチップスとスイカのように全く質の異なる食品の食感の違いを明確に数値化するだけでなく、同種の食品における軽微な食感の差異をも反映する。同種の食品における次のような食感指標の測定を行い、食感におけるより軽微な差異を検出した。【０１０７】
調理の際に異なった温度によって揚げられた３種類のポテトチップスについて、上記と同様に食感指標値の測定を行った。【０１０８】
図１１は、高温、通常温度、低温の３種類の異なる温度で揚げられたポテトチップスについての食感指標値を示す。図１１から明らかなように、ポテトチップスは揚げる際の温度によって異なる食感を呈する。具体的には、食感指標値の値は、高温で揚げられたポテトチップス（Ｗｅｄｇｅ−Ｈｉｇｈ）、中温で揚げられたポテトチップス（Ｗｅｄｇｅ−Ｍｉｌｌｄｅ）、低温で揚げられたポテトチップス（Ｗｅｄｇｅ−Ｌｏｗ）の順に高くなっている。ポテトチップスを揚げる温度が低いほど堅い食感を呈することを、この結果は反映している。これらの間の差異は、ポテトチップスとスイカとの食感指標値の差異とは程度が異なり軽微であるが、このような軽微な差異であっても、本実施の形態に係る食感指標の測定装置によって明確に数値化されることが見て取れる。このような差異の数値化は、食品の製品設計における望ましい食感の指向を決定したり、どのように調理するか等、それを具現化したりする際に有用である。【０１０９】
本発明は、本発明の広義の精神と範囲を逸脱することなく、様々な実施の形態及び変形が可能とされるものである。また、上述した実施の形態は、本発明を説明するためのものであり、本発明の範囲を限定するものではない。すなわち、本発明の範囲、実施の形態ではなく、特許請求の範囲によって示される。そして、特許請求の範囲内及びそれと同等の発明の意義の範囲内で施される様々な変形が、本発明の範囲内とみなされる。【０１１０】
本出願は、２０１０年８月３１日に出願された、日本国特許出願２０１０−１９５０１９号に基づく。本明細書中に日本国特許出願２０１０−１９５０１９号の明細書、特許請求の範囲、図面全体を参照として取り込むものとする。
【産業上の利用可能性】
【０１１１】
本発明の食感指標測定方法及び測定装置によって得られる食感指標は、食品にプローブを挿入する際に生じる振動エネルギーを正確に測定できる。このため、再現性を有し、各種食品の品質評価に用いること、或いは、調理方法や原材料を調節して所望の食感指標値を有する食品を開発することなどに利用可能である。
【符号の説明】
【０１１２】
１  食感指標測定装置
１０  プランジャ
１１  シリンジ
１２  ポンプ
２０  プローブ
３０  加速度ピックアップ
４０  サンプル台
４１  食品サンプル
５０  演算装置
５１  フィルターモジュール
５２  演算部
【図１】
0005854516.tif 000026
【図２】
0005854516.tif 000027
【図３】
0005854516.tif 000028
【図４】
0005854516.tif 000029
【図５】
0005854516.tif 000030
【図６】
0005854516.tif 000031
【図７】
0005854516.tif 000032
【図８】
0005854516.tif 000033
【図９】
0005854516.tif 000034
【図１０】
0005854516.tif 000035
【図１１】
0005854516.tif 000036